(57)【要約】【課題】内部に２本の流路を持つ流路内蔵体（眼科手術用のハンドピースなど）を効率よく洗浄および乾燥する。【解決手段】洗浄工程では、第２電磁弁６ｂが開かれてＩ／Ａハンドピース１３０の流入路１３２が洗浄され、第４電磁弁６ｄが開かれてＵＳハンドピース１２０の流入路１２２が洗浄され、第１電磁弁６ａが開かれてＩ／Ａハンドピース１３０の吸引路１３３が洗浄され、第３電磁弁６ｃが開かれてＵＳハンドピース１２０の吸引路１２３が洗浄される。乾燥工程では、第２電磁弁６ｂが開かれてＩ／Ａハンドピース１３０の流入路１３２が乾燥され、第４電磁弁６ｄが開かれてＵＳハンドピース１２０の流入路１２２が乾燥され、第１電磁弁６ａが開かれてＩ／Ａハンドピース１３０の吸引路１３３が乾燥され、第３電磁弁６ｃが開かれてＵＳハンドピース１２０の吸引路１２３が乾燥される。【選択図】図１
2011000202.tif 000002
【特許請求の範囲】
【請求項１】
内部に液状物を流す第１の流路および第２の流路を持ち、該第１の流路および第２の流路のそれぞれが液状物出入用の第１の開口部および第２の開口部を持つ流路内蔵体を洗浄する洗浄装置であって、
前記第１の流路および前記第２の流路のそれぞれの第１の開口部から主管路を介して洗浄用液体を吸引する吸引手段と、
前記主管路から分岐し、前記第１の流路の第１の開口部に接続した第１の開閉弁を持つ第１の分岐路と、
前記主管路から分岐し、前記第２の流路の第１の開口部に接続した第２の開閉弁を持つ第２の分岐路と、
前記主管路を介して前記第１の流路および前記第２の流路に送風する送風手段とを備え、
前記流路内蔵体の第１の流路の第１の開口部を前記第１の分岐路に接続すると共に、前記流路内蔵体の第２の流路の第１の開口部を前記第２の分岐路に接続した状態で、
前記第１の流路および前記第２の流路を洗浄する洗浄工程として、
前記第１の開閉弁および前記第２の開閉弁の一方を開くと共に他方を閉じた状態で、前記吸引手段によりそれぞれ前記第１の流路および前記第２の流路を介して洗浄用液体を吸引して前記第１の流路および前記第２の流路内をそれぞれ洗浄し、
該洗浄工程の終了後、前記第１の流路および前記第２の流路を乾燥する乾燥工程として、
前記第１の開閉弁および前記第２の開閉弁が共に開くか、または何れか一方が開いた状態で、前記送風手段から主管路を介して前記第１の流路および前記第２の流路に送風してそれぞれの流路内を乾燥することを特徴とする洗浄装置。
【請求項２】
請求項１記載の洗浄装置において、
前記主管路に、前記第１の開閉弁および前記第２の開閉弁を持つ第１および第２の分岐路を複数組形成して、それぞれに複数の流路内蔵体を接続し、該複数の流路内蔵体の第１の流路および第２の流路のそれぞれを洗浄および乾燥することを特徴とする洗浄装置。
【請求項３】
請求項１または請求項２記載の洗浄装置において、
前記流路内蔵体は、眼科手術用のハンドピースであることを特徴とする洗浄装置。
【請求項４】
内部に液状物を流す第１の流路および第２の流路を持ち、該第１の流路および第２の流路のそれぞれが液状物出入用の第１の開口部および第２の開口部を持つ流路内蔵体を洗浄する洗浄方法であって、
前記第１の流路および前記第２の流路に順次洗浄用液体を流してそれぞれの流路を洗浄する洗浄工程と、
前記洗浄工程の終了後、前記第１の流路および前記第２の流路に順次送風してそれぞれの流路を乾燥する乾燥工程と、
を備えたことを特徴とする洗浄方法。
【発明の詳細な説明】
【技術分野】
【０００１】
本発明は、洗浄装置および洗浄方法に関し、特に、内部に２本の細い流路を持つ眼科手術用のハンドピースを効率よく洗浄する洗浄装置および洗浄方法に関する。
【背景技術】
【０００２】
近年、眼科の白内障の患者に対し、薬物療法が無効であり、生活に支障がある場合には、白濁した水晶体を除去して眼内に眼内レンズ（人工の水晶体）を挿入する白内障手術が行われている。
【０００３】
白内障手術の手順概要は、点眼麻酔（局部麻酔）を行った後、黒目と白目の境界を約３ｍｍ切開し、水晶体の前の膜を取り除き、そこから超音波白内障手術装置で白濁した水晶体の核を超音波で乳化破砕して吸引除去する。次いで、皮質の処理を行った上で、温存しておいた水晶体嚢（水晶体を包んでいる袋）に眼内レンズを挿入して手術は終了する。この手術の実時間は、通常は１０〜４０分で終わり、いわゆる「日帰り手術」が可能となり、患者への負担が飛躍的に軽減してきた。
【０００４】
図７は従来の超音波白内障手術装置を説明する図であって、（Ａ）は外観斜視図、（Ｂ）は制御系のブロック図である。ここで、従来の超音波白内障手術装置を、図７（Ａ）、（Ｂ）を参照しつつ簡単に説明する。
【０００５】
図７（Ａ）、（Ｂ）に示すように、超音波白内障手術装置１００は装置本体１１０が略直方体状をなし、前面側に後述するＵＳハンドピース１２０を載置する載置台１１１が装置本体１１０内から引き出されるようになっている。
【０００６】
装置本体１１０の前面上側部には、術者など（医師、補助者）が操作する操作パネル１１２が配置されている。装置本体１１０の背面側にはポール１１３が立てられ、その先端部には患者眼Ｅに供給するための生理食塩水等の灌流液が入れられた灌流瓶１１４が取り付けられている。
【０００７】
灌流瓶１１４には灌流チューブ１１５が接続され、該チューブ１１５は制御弁１１６を介してＵＳハンドピース１２０に接続されている。ＵＳハンドピース１２０は、内部に超音波振動子を持ち、該振動子から発生する超音波振動が増幅伝達されて破砕用のチップ１２４を超音波振動させ、チップ１２４は患者眼Ｅの水晶体核を破砕乳化する。
【０００８】
ＵＳハンドピース１２０が持つ振動子は、操作パネル１１２を介して設定され、制御部１４０の制御によって出力が調節される。ＵＳハンドピース１２０の後端には柔軟性を持つ吸引チューブ１１７が接続され、吸引チューブ１１７の後方の途中には、吸引圧を発生するための吸引ポンプ（不図示）が配設されている。吸引ポンプは制御部１４０により制御され、その吸引流量が調整される。吸引された廃液（灌流液、破砕乳化された水晶体核など）は、廃液袋１１８に排出投入される。
【０００９】
次に、図８（Ａ）、（Ｂ）を参照しつつ、ＵＳハンドピース１２０およびＩ／Ａハンドピース１３０を説明する。
【００１０】
図８（Ａ）に示すように、ＵＳハンドピース１２０は、略円筒状のハンドピース本体１２１の中心部には吸引路１２３が配置され、その先端部には破砕用のチップ１２４が取り付けられている。吸引路１２３の後端部は、吸引された乳化した水晶体核を排出する出口１２３ａである。チップ１２４の内径は、約１．０ｍｍである。ハンドピース本体１２１の外側面には灌流液を患者眼Ｅに供給する流入路１２２が形成され、チップ１２４側には出口１２２ｂが形成されている。符号１２２ａが流入路１２２の入口である。
【００１１】
次に、図８（Ｂ）を参照しつつ、Ｉ／Ａハンドピース１３０を説明する。Ｉ／Ａハンドピース１３０は、灌流吸引用のハンドピースである。図８（Ｂ）に示すように、Ｉ／Ａハンドピース１３０は、ＵＳハンドピース１２０とほぼ同様の構成をしており、ハンドピース本体１３１の内側に吸引路１３３と流入路１３２が形成されている。吸引路１３３の先端部にはチップ１３４が取り付けられ、後端部には出口１３３ａが形成されている。チップ１３４の側面には、約０．３ｍｍの孔が設けられている。吸引路１３３に平行して流入路１３２が形成され、流入路１３２のチップ１３４側が出口１３２ｂであり、他端側が入口１３２ａである。
【００１２】
ＵＳハンドピース１２０とＩ／Ａハンドピース１３０とは、術者による一回の手術の中で順次使用される。
【００１３】
手術で使用されたＵＳハンドピース１２０およびＩ／Ａハンドピース１３０の流入路、吸引路およびチップの内部には、血液、脂肪、蛋白、皮質等が付着して目詰まりを起こしており、次回の手術に備えてＵＳハンドピース１２０およびＩ／Ａハンドピース１３０の流入路、吸引路およびチップを洗浄することが必要不可欠である。また、洗浄が不十分だと前の患者の残留物から感染を起こす危険性が考えられ、目詰まり状態が器械の機能を低下させるだけではなく、手術の完成度も危うくする。
【先行技術文献】
【特許文献】
【００１４】
【特許文献１】特開平１１−１０４１６４号公報
【特許文献２】特開２００８−１０００１７号公報
【発明の概要】
【発明が解決しようとする課題】
【００１５】
しかしながら、従来のハンドピースの洗浄方法は、注射針をハンドピースの一端に挿入し、注射器で洗浄液を吸引しては圧入排出を繰り返すことにより行っていた。また、チップ内の目詰まりや汚れは、コンプレッサーを用いて吹き飛ばすという、手作業によっていたので、極めて効率が悪かった。
【００１６】
本発明は、上記従来の問題点を解決するためになされたもので、内部に液状物を流す第１の流路および第２の流路を持ち、第１の流路および第２の流路のそれぞれが液状物出入用の第１の開口部および第２の開口部を持つ流路内蔵体（眼科手術用のハンドピースなど）を効率よく洗浄する洗浄装置および洗浄方法の提供を目的とする。
【課題を解決するための手段】
【００１７】
この目的を達成するために請求項１記載の発明は、
内部に液状物を流す第１の流路および第２の流路を持ち、該第１の流路および第２の流路のそれぞれが液状物出入用の第１の開口部および第２の開口部を持つ流路内蔵体を洗浄する洗浄装置であって、
前記第１の流路および前記第２の流路のそれぞれの第１の開口部から主管路を介して洗浄用液体を吸引する吸引手段と、
前記主管路から分岐し、前記第１の流路の第１の開口部に接続した第１の開閉弁を持つ第１の分岐路と、
前記主管路から分岐し、前記第２の流路の第１の開口部に接続した第２の開閉弁を持つ第２の分岐路と、
前記主管路を介して前記第１の流路および前記第２の流路に送風する送風手段とを備え、
前記流路内蔵体の第１の流路の第１の開口部を前記第１の分岐路に接続すると共に、前記流路内蔵体の第２の流路の第１の開口部を前記第２の分岐路に接続した状態で、
前記第１の流路および前記第２の流路を洗浄する洗浄工程として、
前記第１の開閉弁および前記第２の開閉弁の一方を開くと共に他方を閉じた状態で、前記吸引手段によりそれぞれ前記第１の流路および前記第２の流路を介して洗浄用液体を吸引して前記第１の流路および前記第２の流路内をそれぞれ洗浄し、
該洗浄工程の終了後、前記第１の流路および前記第２の流路を乾燥する乾燥工程として、
前記第１の開閉弁および前記第２の開閉弁が共に開くか、または何れか一方が開いた状態で、前記送風手段から主管路を介して前記第１の流路および前記第２の流路に送風してそれぞれの流路内を乾燥することを特徴とする。
【００１８】
請求項２記載の発明は、請求項１記載の洗浄装置において、前記主管路に、前記第１の開閉弁を持つ第１の分岐路および前記第２の開閉弁を持つ第２の分岐路を複数組形成して、それぞれに複数の流路内蔵体を接続し（例えば、図１のＵＳハンドピース１２０およびＩ／Ａハンドピース１３０）、該複数の流路内蔵体の第１の流路および第２の流路のそれぞれを洗浄および乾燥することを特徴とする。
【００１９】
請求項３記載の発明は、請求項１または請求項２記載の洗浄装置において、前記流路内蔵体は、眼科手術用のハンドピースであることを特徴とする。
【００２０】
また、請求項４記載の発明は、内部に液状物を流す第１の流路および第２の流路を持ち、該第１の流路および第２の流路のそれぞれが液状物出入用の第１の開口部および第２の開口部を持つ流路内蔵体を洗浄する洗浄方法であって、
前記第１の流路および前記第２の流路に洗浄用液体を順次流してそれぞれの流路を洗浄する洗浄工程と、前記洗浄工程の終了後、前記第１の流路および前記第２の流路に順次送風してそれぞれの流路を乾燥する乾燥工程と、を備えたことを特徴とする。
【発明の効果】
【００２１】
請求項１記載の発明によれば、第１の開閉弁および第２の開閉弁の一方を開くと共に他方を閉じた状態で吸引手段によりそれぞれ第１の流路および第２の流路を介して洗浄用液体を吸引して第１の流路および第２の流路内をそれぞれ洗浄し、第１の開閉弁および第２の開閉弁が共に開くか、または何れか一方が開いた状態で送風手段から主管路を介して第１の流路および第２の流路に送風してそれぞれの流路内を乾燥することにより、従来の人手による注射器などを用いた洗浄・乾燥方法と異なり、自動的に効率よく流路内蔵体の洗浄および乾燥を行うことができる。
【００２２】
請求項２記載の発明によれば、主管路に第１の開閉弁および第２の開閉弁を持つ第１および第２の分岐路を複数組形成して、それぞれに複数の流路内蔵体を接続し、複数の流路内蔵体の第１の流路および第２の流路のそれぞれを洗浄および乾燥することにより、複数本の流路内蔵体を洗浄および乾燥することができる。
【００２３】
請求項３記載の発明によれば、流路内蔵体を眼科手術に用いるハンドピース（ＵＳハンドピース、Ｉ／Ａハンドピース）としたので、眼科手術用のハンドピースでも効率よく洗浄および乾燥することができる。
【００２４】
請求項４記載の発明によれば、第１の流路および第２の流路に順次洗浄用液体を流してそれぞれの流路を洗浄する洗浄工程と、前記洗浄工程の終了後に第１の流路および第２の流路に順次送風してそれぞれの流路を乾燥する乾燥工程とを備えたことにより、自動的に効率よく流路内蔵体（ハンドピース）の洗浄および乾燥を行うことができる。
【図面の簡単な説明】
【００２５】
【図１】本発明の実施形態に係る洗浄装置の構成を示す構成図である。
【図２】同実施形態に係る洗浄装置の制御系のブロック図である。
【図３】同実施形態に係る洗浄装置の動作を示すフローチャートである。
【図４】同実施形態に係る洗浄装置における洗浄動作時の電磁弁の開閉状態を示す図である。
【図５】同実施形態に係る洗浄装置の外観斜視図である。
【図６】同実施形態に係る洗浄装置における操作部の正面図である。
【図７】従来の超音波白内障手術装置を説明する図であって、（Ａ）は外観斜視図、（Ｂ）は制御系のブロック図である。
【図８】（Ａ）はＵＳハンドピースの断面図、（Ｂ）はＩ／Ａハンドピースの断面図である。
【発明を実施するための形態】
【００２６】
以下、本発明を図示の実施形態に基づいて説明する。
【００２７】
図１および図２に示すように、本発明の実施形態に係る洗浄装置ＳＪは、洗浄水を満たした洗浄用タンク１に被洗浄用の２本のＵＳハンドピース１２０およびＩ／Ａハンドピース１３０の先端部を挿入し、各種の電磁弁、ポンプなどを制御して洗浄および乾燥を行う。
【００２８】
即ち、洗浄水を貯留する平たい洗浄用タンク１は、洗浄水の上限を検知する上限センサー１ａと、下限を検知する下限センサー１ｂとを備える。水補給用ボトル２には洗浄水が貯留され、給水用の電磁弁３の開閉によりパイプを介して、洗浄水が洗浄用タンク１に補給される。
【００２９】
洗浄用タンク１には、ＵＳハンドピース１２０およびＩ／Ａハンドピース１３０が、不図示の保持手段により各ＵＳハンドピース１２０およびＩ／Ａハンドピース１３０の先端チップが下になるように保持されている。下限センサー１ｂの設定位置は、各先端チップの位置よりやや上である。洗浄水の水位が下限センサー１ｂの位置になると、洗浄（吸引）するのが間もなく不可能になるので、下限センサー１ｂがその水位を検知し、警報部２３（図２参照）から警報音を発し、作業担当者に通知する。
【００３０】
上限センサー１ａは、ＵＳハンドピース１２０およびＩ／Ａハンドピース１３０の先端チップが十分に洗浄水に浸る位置に設置され、さらに貯留された洗浄水がオーバーフローをするのを事前に検知し、警報部２３から警報音を発し、作業担当者に通知する。
【００３１】
なお、上限センサー１ｂまたは下限センサー１ａが洗浄水の上限または下限を検知したならば、自動的に電磁弁３を制御し、常に洗浄水が適切な水位（上限センサー１ａと下限センサー１ｂとの間の水位）に維持されるように制御することも可能である。
【００３２】
３方電磁弁４の第１の弁口４ａには主管路５が接続され、主管路５は第１〜第４の分岐路５ａ〜５ｄを備えている。
【００３３】
第１分岐路５ａは、分岐路（管路）の開閉制御を行う第１電磁弁６ａを介してＩ／Ａハンドピース１３０の出口１３３ａに水密的に着脱自在に接続される。同様に、第２分岐路５ｂは、第２電磁弁６ｂを介してＩ／Ａハンドピース１３０の入口１３２ａに水密的に着脱自在に接続される。
【００３４】
第３分岐路５ｃは、第３電磁弁６ｃを介してＵＳハンドピース１２０の出口１２３ａに水密的に着脱自在に接続され、第４分岐路５ｄは、第４電磁弁６ｄを介してＵＳハンドピース１２０の入口１２２ａに水密的に着脱自在に接続される。
【００３５】
また、主管路５の３方電磁弁４に近い位置には、洗浄水の圧力を測定する圧力計７が接続されている。圧力が異常に低ければＵＳハンドピース１２０およびＩ／Ａハンドピース１３０の十分な洗浄が不可能であり、逆に異常に高ければＵＳハンドピース１２０およびＩ／Ａハンドピース１３０を破損させるおそれがあるので、圧力計７が圧力異常値を検出したならば、警報部２３から警報音を発するようになっている。
【００３６】
３方電磁弁４の第２の弁口４ｂには、排水管路１２を介して洗浄に使用した排水を貯留する第１の排水ボトル１３ａの第１の開口１３ａａが接続され、該ボトル１３ａの第２の開口１３ａｂには液体ポンプ（ダイヤフラムポンプ）１４の吸引口１４ａが接続されている。また、液体ポンプ１４の排出口１４ｂには、第２の排水ボトル１３ｂが接続されている。そして、第１の排水ボトル１３ａが満杯になったならば、液体ポンプ１４により第１の排水ボトル１３ａの排水を第２の排水ボトル１３ｂに吐出させる。
【００３７】
また、３方電磁弁４の第３の弁口４ｃには、空気を送風するエア管路１１が接続され、エア管路１１には連続的高圧エアーブローを発生させるエアーポンプ８と、断続的高圧エアーブローを発生させる回転式のピストンエアーポンプ９が接続されている。
【００３８】
また、図５に示すように、洗浄装置ＳＪは、上部に配置された第１の洗浄機ＳＫ１と、第１の洗浄機ＳＫ１の下部に配置された第２の洗浄機ＳＫ２と、第１の洗浄機ＳＫ１および第２の洗浄機ＳＫ２を移動自在に載置するキャスター２４付きの専用移動架台ＳＫ３とからなる。第１の洗浄機ＳＫ１と第２の洗浄機ＳＫ２とは、互いに分離して使用することが可能であり、第１の洗浄機ＳＫ１には、眼科用ハンドピースなどの内部に流路を有する医療器具を洗浄する本実施形態の洗浄装置ＳＪ（図１、図２）が内蔵されていて、卓上型のハンドピース洗浄機としても単独で使用することができる。
【００３９】
なお、第２の洗浄機ＳＫ２には、本発明とは異なるタイプの洗浄装置（流路内蔵体を持つ医療器具（ハンドピースなど）の洗浄装置ではなく、流路内蔵体を持たない医療器具（ピンセットなど）の洗浄装置）が設置されているが、本明細書では詳述しない。第２の洗浄機ＳＫ２も、卓上型の器具洗浄機として単独で使用することができる。
【００４０】
第１の洗浄機ＳＫ１は、直方体状の筐体２０の前面に左右に開閉する扉２１が設けられ、扉２１を開いてＵＳハンドピース１２０およびＩ／Ａハンドピース１３０の装着を行う。
【００４１】
扉２１の上方には、洗浄水をＵＳハンドピース１２０およびＩ／Ａハンドピース１３０の流入路および吸引路から吸引する吸引圧や、エアーブローする送風量などの設定を行う操作部２２が設けられている。
【００４２】
図５中、符号２３は、下限センサー１ｂが洗浄水の下限を検出したときに警報を発する警報部である。
【００４３】
また、符号２５は吸引の吸引圧やエアーブローの送風量を設定するフットスイッチであり、操作者がフットスイッチ２５のペダルを足で踏み込むことにより後述する制御を行う。
【００４４】
また、操作部（スイッチパネル）２２は、図６に示すように、メインスイッチ２２ａと、自動モード選択スイッチ２２ｂと、マニュアルモード選択スイッチ２２ｃと、フットスイッチ・固定／可変設定スイッチ２２ｄと、吸引圧選択スイッチ２２ｅと、エアブロー選択スイッチ２２ｆと、スタートスイッチ２２ｇとを備えている。
【００４５】
フットスイッチ・固定／可変スイッチ２２ｄは、可変と固定との何れかを選択設定できる。「可変」を選択した「可変モード」では、操作者がフットスイッチ２５を踏み込む角度で最大に設定されている初期設定値の強弱を制御でき、また「固定」を選択した「固定モード」では、踏み込むだけで初期設定値を最大値に制御できる。
【００４６】
吸引圧選択スイッチ２２ｅを押圧するごとに、吸引圧を切換選択でき、その選択値がインジケーターで表示される。吸引圧は、最小値が０ｍＨｇであり、最大値が５００ｍＨｇであり、その間の吸引圧を６段階に選択できる。ここで、洗浄工程における吸引圧の初期設定値は２００ｍＨｇである。
【００４７】
また、エアブロー選択スイッチ２２ｆを押圧するごとに、送風量を切換選択でき、送風量にはＭＡＸ（最大値）と、ＭＩＤ（中間値）と、ＭＩＮ(最小値)との３段階がある。ここで、乾燥工程におけるエアブローの初期設定値はＭＩＤ（中間値）である。
【００４８】
次に、このように構成された第１の洗浄機ＳＫ１（洗浄装置ＳＪ）の動作を、図３のフローチャートを参照しながら説明する。なお、不図示の制御部により、一連の動作が制御される。
【００４９】
まず、第１の洗浄機ＳＫ１の所定の位置にＵＳハンドピース１２０とＩ／Ａハンドピース１３０とを装着する。詳しくは、Ｉ／Ａハンドピース１３０の出口１３３ａに第１分岐路５ａが水密的に着脱自在に接続され、Ｉ／Ａハンドピース１３０の入口１３２ａに第２分岐路５ｂが水密的に着脱自在に接続される。また、ＵＳハンドピース１２０の出口１２３ａに第３分岐路５ｃが水密的に着脱自在に接続され、ＵＳハンドピース１２０の入口１２２ａに第４分岐路５ｄが水密的に着脱自在に接続される。
【００５０】
メインスイッチ２２ａをＯＮにすると（ステップＳ１０１）、電磁弁３が開き、水補給用ボトル２から洗浄用タンク１への給水が開始される（ステップＳ１０２）。
【００５１】
洗浄用タンク１への給水が続き、上限センサー１ａが水を検知すると（ステップＳ１０３でＹＥＳ）、電磁弁３が閉じ、洗浄用タンク１への１セット分の洗浄水の給水が終了する（ステップＳ１０４）。ここで、１セット分の洗浄水とは、ＵＳハンドピース１２０およびＩ／Ａハンドピース１３０の計４本の流路を洗浄できる水の量であり、この量は上限センサー１ａの位置で終了できるように時間設定することができる。
【００５２】
次に、自動モード選択スイッチ２２ｂのＯＮ／ＯＦＦに基づいて自動モードであるかどうかを判定し（ステップＳ１０５）、自動モードであれば（ステップＳ１０５でＹＥＳ)、ステップＳ１１１に制御を移す。
【００５３】
自動モードでなければ（ステップＳ１０５でＮＯ)、マニュアルモード選択スイッチ２２ｃのＯＮ／ＯＦＦに基づいてマニュアルモードであるので、フットスイッチ・固定／可変設定スイッチ２２ｄの「固定」、「可変」の選択に基づいて吸引圧および送風量が固定かどうかを判定する（ステップＳ１０６）。吸引圧および送風量が固定であれば（ステップＳ１０６でＹＥＳ）、フットスイッチ２５を無効化し（ステップＳ１０７）、吸引圧選択スイッチ２２ｅにより吸引圧を任意の値に設定し（ステップＳ１０８）、エアブロー選択スイッチ２２ｆによりエアーブローの送風量を任意の値に設定してから、ステップＳ１１２に制御を移す。吸引圧および送風量が固定でなければ（ステップＳ１０６でＮＯ）、フットスイッチ２５を有効化し（ステップＳ１１０）、ステップＳ１１２に制御を移す。フットスイッチが有効化されると、吸引圧および送風量は初期設定値以上にならない範囲で、フットペダルの踏み込み状態に応じて吸引圧および送風量を操作者がコントロールすることができる。
【００５４】
図３中のステップＳ１１１〜Ｓ１１７は、洗浄工程を示す。この洗浄工程では、まず、３方電磁弁４の第１の弁口４ａおよび第２の弁口４ｂが開口される（ステップＳ１１１）。これにより、主管路５と排水管路１２とが連通される。
【００５５】
次に、液体ポンプ１４による吸引が開始される（ステップＳ１１２）。
【００５６】
続いて、第１電磁弁６ａ、第３電磁弁６ｃおよび第４電磁弁６ｄは閉じたまま、第２電磁弁６ｂが開かれる（ステップＳ１１３）。すると、液体ポンプ１４による吸引圧が排水管路１２、主管路５、第２分岐路５ｂを通じてＩ／Ａハンドピース１３０の流入路１３２にかかり、洗浄用タンク１に収納されている洗浄水がＩ／Ａハンドピース１３０の出口１３２ｂから吸水され、流入路１３２を通過し、入口１３２ａから第２分岐路５ｂ、主管路５、３方電磁弁４および排水管路１２を通じて第１の排水ボトル１３ａに導かれる。所定時間だけ、このルートの吸水動作が行われると、Ｉ／Ａハンドピース１３０の流入路１３２の洗浄が完了する。
【００５７】
次に、第２電磁弁６ｂが閉じられる一方、第４電磁弁６ｄが開かれる（ステップＳ１１４）。すると、液体ポンプ１４による吸引圧が排水管路１２、主管路５、第４分岐路５ｄを通じてＵＳハンドピース１２０の流入路１２２にかかり、洗浄用タンク１に収納されている洗浄水がＵＳハンドピース１２０の出口１２２ｂから吸水され、流入路１２２を通過し、入口１２２ａから第４分岐路５ｄ、主管路５、３方電磁弁４および排水管路１２を通じて第１の排水ボトル１３ａに導かれる。所定時間だけ、このルートの吸水動作が行われると、ＵＳハンドピース１２０の流入路１２２の洗浄が完了する。
【００５８】
続いて、第４電磁弁６ｄが閉じられる一方、第１電磁弁６ａが開かれる（ステップＳ１１５）。すると、液体ポンプ１４による吸引圧が排水管路１２、主管路５、第１分岐路５ａを通じてＩ／Ａハンドピース１３０の吸引路１３３にかかり、洗浄用タンク１に収納されている洗浄水がＩ／Ａハンドピース１３０のチップ１３４から吸水され、吸引路１３３を通過し、出口１３３ａから第１分岐路５ａ、主管路５、３方電磁弁４および排水管路１２を通じて第１の排水ボトル１３ａに導かれる。所定時間だけ、このルートの吸水動作が行われると、Ｉ／Ａハンドピース１３０の吸引路１３３の洗浄が完了する。
【００５９】
次に、第１電磁弁６ａが閉じられる一方、第３電磁弁６ｃが開かれる（ステップＳ１１６）。すると、液体ポンプ１４による吸引圧が排水管路１２、主管路５、第４分岐路５ｄを通じてＵＳハンドピース１２０の吸引路１２３にかかり、洗浄用タンク１に収納されている洗浄水がＵＳハンドピース１２０のチップ１２４から吸水され、吸引路１２３を通過し、出口１２３ａから第３分岐路５ｃ、主管路５、３方電磁弁４および排水管路１２を通じて第１の排水ボトル１３ａに導かれる。所定時間だけ、このルートの吸水動作が行われると、ＵＳハンドピース１２０の吸引路１２３の洗浄が完了する。
【００６０】
続いて、電磁弁６ｃが閉じられる（ステップＳ１１７）。
【００６１】
洗浄工程の最後に、液体ポンプ１４による吸引が終了される（ステップＳ１１８）。
【００６２】
図４は、上記の洗浄工程での第１〜第４電磁弁６ａ〜６ｄの開閉状態を示す。図４から明らかなように、１本の流路（流入路や吸引路）を洗浄する際には、その他の３本の流路は開閉弁が閉じているので洗浄されない。従って、確実に１本の流路ずつの洗浄を行うことができる。なお、ステップＳ１１３の第１行程でＩ／Ａハンドピース１３０の流入路１３２の洗浄が行われ、ステップＳ１１４の第２行程でＵＳハンドピース１２０の流入路１２２の洗浄が行われ、ステップＳ１１５の第３行程でＩ／Ａハンドピース１３０の吸引路１３３の洗浄が行われ、ステップＳ１１６の第４行程でＵＳハンドピース１２０の吸引路１２３の洗浄が行われるのは、各流路の汚染具合が軽度のものから順番に洗浄するようにしたからである。
【００６３】
なお、洗浄工程の途中で、第１の排水ボトル１３ａが満杯になったならば、液体ポンプ１４は、それまでの吸引動作を吐出動作に切り替え、第１の排水ボトル１３ａの排水を第２の排水ボトル１３ｂへと吐出圧力で押し出すことができる。
【００６４】
洗浄工程が完了すると、ステップＳ１１９〜Ｓ１２６の乾燥工程が行われる。この乾燥工程では、まず、３方電磁弁４の第２の弁口４ｂが閉止され、第１の弁口４ａおよび第３の弁口４ｃが開口される（ステップＳ１１９）。これにより、主管路５とエア管路１１とが連通される。
【００６５】
次に、エアーポンプ８およびピストンエアポンプ９によるエアーブローが開始される（ステップＳ１２０）。
【００６６】
続いて、第１電磁弁６ａ、第３電磁弁６ｃおよび第４電磁弁６ｄは閉じたまま、第２電磁弁６ｂが開かれる（ステップＳ１２１）。すると、エアーポンプ８およびピストンエアポンプ９によるエアーブローがエア管路１１、主管路５、第２分岐路５ｂを通じてＩ／Ａハンドピース１３０の流入路１３２を通過し、流入路１３２内が乾燥され、Ｉ／Ａハンドピース１３０の出口１３２ｂから吹き出される。所定時間だけ、このルートの乾燥動作が行われると、Ｉ／Ａハンドピース１３０の流入路１３２の乾燥が完了する。
【００６７】
次に、第２電磁弁６ｂが閉じられる一方、第４電磁弁６ｄが開かれる（ステップＳ１２２）。すると、エアーポンプ８およびピストンエアポンプ９によるエアーブローがエア管路１１、主管路５、第４分岐路５ｄを通じてＵＳハンドピース１２０の流入路１２２を通過し、流入路１２２内が乾燥され、ＵＳハンドピース１２０の出口１２２ｂから吹き出される。所定時間だけ、このルートの乾燥動作が行われると、ＵＳハンドピース１２０の流入路１２２の乾燥が完了する。
【００６８】
続いて、第４電磁弁６ｄが閉じられる一方、第１電磁弁６ａが開かれる（ステップＳ１２３）。すると、エアーポンプ８およびピストンエアポンプ９によるエアーブローがエア管路１１、主管路５、第１分岐路５ａを通じてＩ／Ａハンドピース１３０の吸引路１３３を通過し、吸引路１３３内が乾燥され、Ｉ／Ａハンドピース１３０のチップ１３４から吹き出される。所定時間だけ、このルートの乾燥動作が行われると、Ｉ／Ａハンドピース１３０の吸引路１３３の乾燥が完了する。
【００６９】
次に、第１電磁弁６ａが閉じられる一方、第３電磁弁６ｃが開かれる（ステップＳ１２４）。すると、エアーポンプ８およびピストンエアポンプ９によるエアーブローがエア管路１１、主管路５、第４分岐路５ｄを通じてＵＳハンドピース１２０の吸引路１２３を通過し、吸引路１２３内が乾燥され、ＵＳハンドピース１２０のチップ１２４から吹き出される。所定時間だけ、このルートの吸水動作が行われると、ＵＳハンドピース１２０の吸引路１２３の洗浄が完了する。
【００７０】
続いて、電磁弁６ｃが閉じられる（ステップＳ１２５）。
【００７１】
乾燥工程の最後に、エアーポンプ８およびピストンエアポンプ９によるエアーブローが終了される（ステップＳ１２６）。
【００７２】
このように、乾燥工程では、連続的高圧ブローと断続的高圧ブローとをＵＳハンドピース１２０およびＩ／Ａハンドピース１３０の４本の流路（流入路、吸引路）に所定の時間だけ送り込み、管内に残った洗浄水の水滴を吹き飛ばすことにより、流路の乾燥が行われる。
【００７３】
以上、本発明の実施形態について説明したが、これはあくまでも例示にすぎず、本発明はこれに限定されるものではなく、特許請求の範囲の趣旨を逸脱しない限りにおいて、当業者の知識に基づく種々の変更が可能である。
【００７４】
例えば、本実施形態では２本のハンドピースを洗浄および乾燥する場合を説明したが、１本だけ、或いは３本以上のハンドピースを洗浄および乾燥するように構成可能であるのは勿論である。
【００７５】
また、本実施形態では眼科手術用のハンドピースの場合を説明したが、２本の流路（管路）を有する流路内蔵体であれば、本発明を適用可能なのは勿論である。
【産業上の利用可能性】
【００７６】
本発明は、眼科手術用のハンドピースの洗浄分野ばかりでなく、医学、生物学、半導体等の機械器具を洗浄する一般産業の広い技術分野で利用することができる。
【符号の説明】
【００７７】
ＳＪ  洗浄装置
ＳＫ１  第１の洗浄機
ＳＫ２  第２の洗浄機
ＳＫ３  専用移動架台
１  洗浄用タンク
１ａ  上限センサー
１ｂ  下限センサー
２  水補給用ボトル
３  洗浄水補給制御の電磁弁
４  ３方電磁弁
５  主管路
５ａ〜５ｄ  第１〜第４の分岐路
６ａ〜６ｄ  第１〜第４電磁弁（第１〜第４の開閉弁）
８  エアーポンプ（送風手段）
９  ピストンエアーポンプ（送風手段）
１１  エア管路
１２  排水管路
１４  液体ポンプ（吸引手段）
２１  扉
２２  操作部
２２ａ  メインスイッチ
２２ｂ  自動モード選択スイッチ
２２ｃ  マニュアルモード選択スイッチ
２２ｄ  フットスイッチ・固定／可変設定スイッチ
２２ｅ  吸引圧選択スイッチ
２２ｆ  エアブロー選択スイッチ
２２ｇ  スタートスイッチ
２３  警報部
２４  キャスター
２５  フットスイッチ
１２０  ＵＳハンドピース（流路内蔵体）
１２１  ハンドピース本体
１２２  流入路（流路）
１２２ａ  入口（開口部）
１２２ｂ  出口（開口部）
１２３  吸引路（流路）
１２３ａ  出口（開口部）
１２４  チップ
１３０  Ｉ／Ａハンドピース（流路内蔵体）
１３１  ハンドピース本体
１３２  流入路（流路）
１３２ａ  入口（開口部）
１３２ｂ  出口（開口部）
１３３  吸引路（流路）
１３３ａ  出口（開口部）
１３４  チップ
【図１】
2011000202.tif 000003
【図２】
2011000202.tif 000004
【図３】
2011000202.tif 000005
【図４】
2011000202.tif 000006
【図５】
2011000202.tif 000007
【図６】
2011000202.tif 000008
【図７】
2011000202.tif 000009
【図８】
2011000202.tif 000010